(57)【要約】【課題】  作業者が電線を持ち続けていなくても丸型圧着端子を端子部上に配置することができ、電線接続作業能率を大幅に向上する電機機器の端子装置を提供する。【解決手段】  端子収容部３４を仕切りながら互いに対向している２枚の隔壁３２に、互いに向かう方向に延在する一対の挟持片４０，４２が形成されている。一対の挟持片４０，４２は、隔壁３２の厚さより薄い部材であり、電線１８の丸型圧着端子１６を端子収容部３４の側部開口の外側から端子板３８に向けて差し込むと、一対の挟持片４０，４２は、丸型圧着端子１６に接触することで端子収容部３４側に弾性変形しつつ、丸型圧着端子１６のくびれ部４４を挟持する。【選択図】      図３
2005310499.tif 000002
【特許請求の範囲】
【請求項１】
絶縁壁で仕切られた端子収容部と、この端子収容部に設けたねじ孔を有する端子部と、前記端子収容部を上方から覆うように配置し、前記ねじ孔に先端が結合する雄ねじを係合した端子カバーとを備え、丸孔を有する丸型圧着端子を端部に備えた電線を、前記丸型圧着端子を前記端子部の上部に配置し、前記雄ねじを前記丸孔を通して前記ねじ孔にねじ込むことで接続する電機機器の端子装置において、
前記雄ねじを前記ねじ孔にねじ込む前の状態で前記端子部の上部に配置した前記丸型圧着端子を保持する端子ストッパーを設けたことを特徴とする電機機器の端子装置。
【請求項２】
前記端子ストッパーは、前記端子収容部を仕切りながら互いに対向している２枚の前記絶縁壁から互いに向けて延在し、前記端子部の上部に配置した前記丸型圧着端子のくびれ部を挟持する一対の挟持片であることを特徴とする請求項１記載の電機機器の端子装置。
【請求項３】
前記端子ストッパーは、前記端子カバーが前記端子収容部を覆ったときに前記端子部の上部に配置した前記丸型圧着端子のくびれ部を挟持するように、前記端子カバーから前記くびれ部に向けて互いに離間して延在している一対の挟持片であることを特徴とする請求項１記載の電機機器の端子装置。
【請求項４】
前記一対の挟持片は、前記丸型圧着端子を外部から前記端子部に配置する際に前記丸型圧着端子に弾性変形しながら接触して前記くびれ部を挟持する薄肉の弾性部材であることを特徴とする請求項２又は３記載の電機機器の端子装置。
【発明の詳細な説明】
【技術分野】
【０００１】
本発明は、丸型圧着端子付き電線を一時的に保持する機構を備えた電機機器の端子装置に関する。
【背景技術】
【０００２】
電磁接触器、電磁開閉器などの電機機器に組み込んで使用する電線接続用の端子装置として、例えば図７に示す従来の端子装置が知られている。この端子装置は、互いに平行に離間配置した絶縁壁２に仕切られて複数の端子収容部４が設けられ、これら端子収容部４に、ねじ孔６を有する端子板８がそれぞれ配置されている。また、端子収容部４を上方から覆う端子カバー１０には、複数の係合ねじ孔１２にそれぞれ雄ねじ１４が螺合している。この端子装置に、丸孔１６ａを有する丸型圧着端子１６を端部に備えた電線１８を接続する場合には、ドライバーで雄ねじ１４を締め込んでいき、図８に示すように、雄ねじ１４に遊嵌されている座金２０を丸型圧着端子１６に当接させるとともに、雄ねじ１４の先端が丸型圧着端子１６の丸孔１６ａを通過してねじ孔６に螺合することで端子板８に電線１８が接続される。
【０００３】
このように端子カバー１０に雄ねじ１４を連結した従来の端子装置は、例えば特許文献１の装置にも記載されているように、作業者が雄ねじ１４を保持せずに電線１８の接続作業を行えるので、接続作業性が向上する。
【特許文献１】特開平０３−２２６９３６号公報
【発明の開示】
【発明が解決しようとする課題】
【０００４】
しかし、従来の端子装置を使用すると、作業者が電線１８を持ちながら接続作業を行わなければならないので、未だ電線接続作業の改善すべき課題がある。
すなわち、図９に示すように、雄ねじ１４のねじ孔６への螺合が完了するまで、作業者は、片方の手で電線１８を持ちながら丸型圧着端子１６の丸孔１６ａを端子板８のねじ孔６に合わせた状態とし、もう一方の手でドライバーを持って雄ねじ１２を締め込んでいく作業を、一本毎の電線１８に対して行わなければならない。このように、従来の端子装置を使用すると、作業者が電線１８を持ちながら１本毎に接続作業を行わなければならないので、電線接続作業の能率の面で課題がある。
本発明は上記事情に鑑みてなされたものであり、端子カバーに係合している雄ねじを端子部のねじ孔にねじ込む前の状態で、作業者が電線を持ち続けていなくても丸型圧着端子を端子部上に配置することができ、電線接続作業能率を大幅に向上することができる電機機器の端子装置を提供することを目的とする。
【課題を解決するための手段】
【０００５】
前記課題を解決するため、請求項１記載の電機機器の端子装置は、絶縁壁で仕切られた端子収容部と、この端子収容部に設けたねじ孔を有する端子部と、前記端子収容部を上方から覆うように配置し、前記ねじ孔に先端が結合する雄ねじを係合した端子カバーとを備え、丸孔を有する丸型圧着端子を端部に備えた電線を、前記丸型圧着端子を前記端子部の上部に配置し、前記雄ねじを前記丸孔を通して前記ねじ孔にねじ込むことで接続する電機機器の端子装置において、前記雄ねじを前記ねじ孔にねじ込む前の状態で前記端子部の上部に配置した前記丸型圧着端子を保持する端子ストッパーを設けた。
【０００６】
また、請求項２記載の発明は、請求項１記載の電機機器の端子装置において、前記端子ストッパーを、前記端子収容部を仕切りながら互いに対向している２枚の前記絶縁壁から互いに向けて延在し、前記端子部の上部に配置した前記丸型圧着端子のくびれ部を挟持する一対の挟持片とした。
また、請求項３記載の発明は、請求項１記載の電機機器の端子装置において、前記端子ストッパーを、前記端子カバーが前記端子収容部を覆ったときに前記端子部の上部に配置した前記丸型圧着端子のくびれ部を挟持するように、前記端子カバーから前記くびれ部に向けて互いに離間して延在している一対の挟持片とした。
さらに、請求項４記載の発明は、請求項２又は３記載の電機機器の端子装置において、前記一対の挟持片を、前記丸型圧着端子を外部から前記端子部に配置する際に前記丸型圧着端子に弾性変形しながら接触して前記くびれ部を挟持する薄肉の弾性部材とした。
【発明の効果】
【０００７】
本発明の電機機器の端子装置によると、端子部の上部に配置した丸型圧着端子は、端子カバーに係合している雄ねじを端子部のねじ孔にねじ込む前であっても、端子ストッパーによってその位置が保持される。したがって、作業員は、全ての電線の丸型圧着端子を全ての端子部に配置した後は電線を持つ必要がなくなり、端子カバーの雄ねじの締め込み作業も両手で行うことができるので、電線接続作業の能率が大幅に向上する。
【発明を実施するための最良の形態】
【０００８】
以下、この発明の実施形態について図面を参照しながら説明する。なお、図７から図９で示した構成と同一構成部分には、同一符号を付してその説明を省略する。
図１から図４は本発明に係る第１実施形態を示すものであり、図１は、電磁接触器の本体部３０を示す斜視図、図２は、本体部３０の要部を示す斜視図、図３は、複数の電線１８を本体部３０に仮接続した状態を示す図、図４は、本体部３０に端子カバー１０を固定した状態を示す図である。
【０００９】
図１に示すように、本体部３０の上部には、互いに平行に離間配置した隔壁３２に仕切られて複数の端子収容部３４が設けられている。各端子収容部３４には、ねじ孔３６を有する端子板３８がそれぞれ配置されている。
また、図２に示すように、複数の端子収容部３４を仕切りながら互いに対向している２枚の隔壁３２には、それらの側部３２ａから互いに向かう方向に延在する一対の挟持片４０，４２がそれぞれ一体に形成されている。すなわち、一対の挟持片４０，４２は、隔壁３２の厚さより薄い部材として端子収容部３４の側部開口部を囲むように突出しており、これら一対の挟持片４０，４２に対して側部３２ａの外方から端子収容部３４に向かう方向に外力が作用すると、一対の挟持片４０，４２は、元の状態に戻ろうとする復元力を発生しながら端子収容部３４側に弾性変形する。
【００１０】
そして、図３に示すように、端子カバー１０を本体部３０に装着する前に、各端子収容部３４を仕切っている隔壁３２に設けた一対の挟持片４０，４２を使用して複数の電線１８を本体部３０に仮接続する。
この場合、電線１８の丸型圧着端子１６を、所定の端子収容部３４の側部開口の外側から端子板３８に向けて差し込む。一対の挟持片４０，４２は、丸型圧着端子１６に接触することで端子収容部３４側に弾性変形しつつ、丸型圧着端子１６のくびれ部４４を挟持する。このように、一対の挟持片４０，４２が丸型圧着端子１６のくびれ部４４を挟持するので、作業者が手を離しても丸型圧着端子１６は端子板３８上で移動せず、丸型圧着端子１６の丸孔１６ａが端子板３８のねじ孔３６に対応した状態となる。そして、他の電線１８も所定の端子収容部の端子板３８に向けて差し込み、弾性変形した一対の挟持片４０，４２が丸型圧着端子１６のくびれ部４４を挟持することで、本体部３０への電線１８の仮接続を完了する。
【００１１】
そして、図４に示すように、全ての電線１８の仮接続が完了した本体部３０に端子カバー１０を装着し、ドライバーで雄ねじ１４を締め込んでいき、雄ねじ１４に遊嵌されている座金２０を丸型圧着端子１６に当接させるとともに、雄ねじ１４の先端が丸型圧着端子１６の丸孔１６ａを通過してねじ孔６に螺合することで、本体部３０に全ての電線１８の接続が完了する。
【００１２】
なお、本実施形態の一対の挟持片４０，４２が、本発明の端子ストッパーに相当する。
したがって、本実施形態によると、各端子収容部３４を仕切って互いに対向している２枚の隔壁３２に設けた一対の挟持片４０，４２が、端子板３８に配置した丸型圧着端子１６のくびれ部４４を挟持することから、作業員は、全ての電線１８の丸型圧着端子１６を全ての端子板３８に配置した後は電線１８を持つ必要がなくなり、端子カバー１０の雄ねじ１４の締め込み作業も両手で行うことができるので、作業者が電線を持って１本毎接続作業を行っていた従来の端子装置と比較して、電線接続作業の能率を大幅に向上させることができる。
【００１３】
また、一対の挟持片４０，４２は薄肉の弾性部材として形成されており、電線１８の丸型圧着端子１６を端子収容部３４の側部開口の外側から端子板３８に向けて差し込むだけで弾性変形しながら丸型圧着端子１６のくびれ部４４を挟持するので、簡単な挟持構造でありながら丸型圧着端子１６の挟持動作を確実に行うことができる。
。
【００１４】
また、全ての電線１８の仮接続が完了した後に、端子カバー１０を本体部３０に装着することができるので、丸型圧着端子１６の丸孔１６ａが端子板３８のねじ孔３６に一致するように、丸型圧着端子１６を端子板３８上に正確に配置することができる。なお、一対の挟持片４０，４２は弾性変形するため、端子カバー１０を本体部３０に装着した後に、電線１８を取り付けるようにしてもよい。
【００１５】
次に、図５及び図６は本発明に係る第２実施形態を示すものであり、図５は、本実施形態の端子カバー５０及び本体部６０を示す斜視図、図６は、本体部６０に装着した端子カバー５０に複数の電線１８を仮接続した状態を示す図である。
図５に示すように、本実施形態の本体部６０は、第１実施形態の本体部３０で示した一対の挟持片４０，４２を設けていない。
【００１６】
また、本実施形態の端子カバー５０には、カバー側板５２から下方に向けて延在する一対の挟持片５４，５６が所定間隔をあけて複数組設けられている。各一対の挟持片５４，５６は、図６に示すように、本体部６０に装着したときに各端子収容部３４の側部開口部を囲む。
各一対の挟持片５４，５６は、カバー側板５２の厚さより薄い部材として一体形成されており、これら一対の挟持片５４，５６に対して隔壁３２の側部３２ａの外方から端子収容部３４に向かう方向に外力が作用すると、一対の挟持片５４，５６は、元の状態に戻ろうとする復元力を発生しながら端子収容部３４側に弾性変形する。
【００１７】
本実施形態は、図６に示すように端子カバー５０を本体部６０に装着した後、端子カバー５０に設けた一対の挟持片５４，５６を使用して複数の電線１８を本体部３０に仮接続する。
この場合、電線１８の丸型圧着端子１６を、所定の端子収容部３４の側部開口の外側から端子板３８に向けて差し込む。一対の挟持片５４，５６は、丸型圧着端子１６に接触することで端子収容部３４側に弾性変形しつつ、丸型圧着端子１６のくびれ部４４を挟持する。このため、作業者が手を離しても丸型圧着端子１６は端子板３８上で移動せず、丸型圧着端子１６の丸孔１６ａが端子板３８のねじ孔３６に対応した状態となる。そして、他の電線１８も所定の端子収容部の端子板３８に向けて差し込み、弾性変形した一対の挟持片５４，５６が丸型圧着端子１６のくびれ部４４を挟持することで、本体部３０への電線１８の仮接続を完了する。
【００１８】
そして、全ての電線１８の仮接続が完了した後、ドライバーで雄ねじ１４を締め込むことで、本体部６０への全ての電線１８の接続を行う。
なお、本実施形態の一対の挟持片５４，５６が、本発明の端子ストッパーに相当する。
したがって、本実施形態によると、端子カバー５０のカバー側板５２から下方に向けて延在している一対の挟持片５４，５６が、端子板３８に配置した丸型圧着端子１６のくびれ部４４を挟持することから、第１実施形態と同様に、電線接続作業の能率を大幅に向上させることができる。
また、一対の挟持片５４，５６は薄肉の弾性部材として形成されており、電線１８の丸型圧着端子１６を端子収容部３４の側部開口の外側から端子板３８に向けて差し込むだけで弾性変形しながら丸型圧着端子１６のくびれ部４４を挟持するので、簡単な挟持構造でありながら丸型圧着端子１６の挟持動作を確実に行うことができる。
。
【図面の簡単な説明】
【００１９】
【図１】本発明に係る第１実施形態の電機機器の端子装置を構成する本体部を示す斜視図である。
【図２】図１の要部を示す斜視図である。
【図３】本発明に係る第１実施形態において電線を仮接続した状態を示す斜視図である。
【図４】本発明に係る第１実施形態の電機機器の端子装置に対して電線接続が完了した状態を示す斜視図である。
【図５】本発明に係る第２実施形態の電機機器の端子装置の分解斜視図である。
【図６】本発明に係る第２実施形態において複数の電線を仮接続した状態を示す斜視図である。
【図７】従来の電機器の端子装置の構成を示す斜視図である。
【図８】従来の電機機器の端子装置に電線を接続した状態を示す斜視図である。
【図９】従来の電機機器の端子装置に電線を仮接続した状態を示す斜視図である。
【符号の説明】
【００２０】
１０，５０  端子カバー
１４  雄ねじ
１６  丸型圧着端子
１６ａ  丸型圧着端子の丸孔
１８  電線
３０，６０  本体部
３２  隔壁（絶縁壁）
３２ａ  隔壁の側部
３４  端子収容部
３６  ねじ孔
３８  端子板（端子部）
４０，４２  挟持片（端子ストッパー）
４４  くびれ部
５２  カバー側板
５４，５６  挟持片（端子ストッパー）
【図１】
2005310499.tif 000003
【図２】
2005310499.tif 000004
【図３】
2005310499.tif 000005
【図４】
2005310499.tif 000006
【図５】
2005310499.tif 000007
【図６】
2005310499.tif 000008
【図７】
2005310499.tif 000009
【図８】
2005310499.tif 000010
【図９】
2005310499.tif 000011